(57)【要約】      （修正有）【課題】  濡れている折り畳み傘がバッグ内の収容物を濡らしたり、傘が脱落する心配もなく、バッグを床に置いたときの安定性も良好な折り畳み傘用の傘袋を提供する。【解決手段】  袋本体１から手提げバッグ３を引き出して袋本体１を裏返すことにより、手提げバッグ３の外底部には扁平に折り畳んだ傘２を収納するファスナー付きの開閉自在の袋本体が形成されるようになっている。買い物等のためにこの傘袋を手提げバッグとして使用するときは、ファスナー４を開け、袋本体１から手提げバッグ３をその提げ手９，９を利用して引き出し、該袋本体を裏返す。これにより、手提げバッグ３外底部に形成される該袋本体１内に折り畳んだ傘２を再び収納して、ファスナーをもう一方のスライダー操作用つまみ６ｂを使用して閉じるのである。【選択図】  図２
0003141084.tif 000002
【実用新案登録請求の範囲】
【請求項１】
折り畳んだときに全体が扁平となる折り畳み傘のための傘袋であって、傘袋を構成する非透水性の生地よりなる袋本体はその大きさが扁平に折り畳んだ傘の長さと幅にほぼ合致する全体長方形状をなし、該袋本体の幅方向中央部には該袋本体の長さ方向全体にわたって袋本体を開閉自在のファスナーが取り付けられ、該ファスナーのスライダーには袋本体の内側と外側からスライダー操作可能なスライダー操作用つまみが設けられ、上記袋本体の内面には非透水性の生地よりなる手提げバッグの底部が縫着され、袋本体から該手提げバッグを引き出して袋本体を裏返すことにより、手提げバッグの外底部には扁平に折り畳んだ傘を収納するファスナー付きの開閉自在の袋本体が形成されるようにしてなることを特徴とする折り畳み傘用の傘袋。
【請求項２】
前記袋本体に取り付けられるファスナーのスライダーには２個のスライダー操作用つまみが設けられ、また袋本体の生地が前記手提げバッグの底部を形成してなる折り畳み傘用の傘袋。
【考案の詳細な説明】
【技術分野】
【０００１】
本考案は、折り畳み傘を収納するための傘袋で、所望により折り畳み傘を収納したままで手提げバッグ（トートバッグ）としても使用することができるようにした傘袋に関する。
【背景技術】
【０００２】
従来から、手提げバッグの外側に折り畳み傘を収納するための縦長ポケットを有するもの（実用新案登録第３１２７８７５号公報）や、折り畳み傘用の傘袋を拡げたときに手提げバッグとして使用できるもの（実開昭６１−１２６８１８号公報、特開平８−３８２２８号公報）が提案されている。
【０００３】
しかしながら、実用新案登録第３１２７８７５号公報記載のものは、手提げバッグが主体であって、ポケットに折り畳んだ傘を収納した状態でバッグを小さく折り畳むことができるものであるが、傘を収納したまま手提げバッグとして使用するときには、また傘を収納したポケットが外部に露呈するので外観上も好ましくない。
【０００４】
実開昭６１−１２６８１８号公報記載のものは、折り畳み傘用のファスナー付きの傘袋であって、ファスナーを開いて袋内に傘と共に収納していた生地を拡げれば、手提げバッグとなるものであるが、折り畳み傘はバッグ内に収容することとなるので、折り畳み傘が濡れていると、バッグ内の収容物を濡らしてしまう欠点がある。
【０００５】
また、特開平８−３８２２８号公報記載のものも、ファスナー付きの傘袋であって、ファスナーを開いて袋内に傘と共に収納していた生地を拡げれば、手提げバッグとなるものであるが、手提げバッグとして使用するときには、バッグ外底部に形成したポケット内に折り畳んだ傘を収納するもので、これも傘を収納したポケットが外部に露呈するので外観上問題があり、傘が抜け落ちて脱落する虞もあり、床に置いたときの安定性にも欠けるものであった。
【０００６】
【特許文献１】実用新案登録第３１２７８７５号公報
【特許文献２】実開昭６１−１２６８１８号公報
【特許文献３】特開平８−３８２２８号公報
【考案の開示】
【考案が解決しようとする課題】
【０００７】
本考案は、従来のものと同様に折り畳み傘用のファスナー付きの傘袋であって、ファスナーを開いて袋内に傘と共に収納していた生地を拡げれば、手提げバッグとなるものであるが、手提げバッグとして使用するときには、折り畳み傘を収納していた袋部分が裏返されて、折り畳み傘収納用のファスナー付きの袋がバッグ外底部に形成され、この袋内に折り畳み傘を収納することにより、濡れている折り畳み傘がバッグ内の収容物を濡らしてしまったり、傘が脱落するような心配もなく、しかも手提げバッグを床に置いたときの安定性も良好な折り畳み傘用の傘袋を提案するものである。
【課題を解決するための手段】
【０００８】
本考案は、折り畳んだときに全体が扁平となるいわゆる「フラットタイプ」の折り畳み傘のための傘袋であり、傘袋を構成する非透水性の袋本体はその大きさが扁平に折り畳んだ傘の長さと幅にほぼ合致する全体長方形状をなし、該袋本体の幅方向中央部には該袋本体の長さ方向全体にわたって袋本体を開閉自在のファスナーが取り付けられ、該ファスナーのスライダーには袋本体の内側と外側の両方からスライダー操作ができるように、例えば２本のスライダー操作用つまみが設けられる。
【０００９】
上記袋本体の内面には同じく非透水性の生地よりなる手提げバッグの底部が縫着され、袋本体から該手提げバッグを引き出して袋本体を裏返すことにより、手提げバッグの外底部には扁平に折り畳んだ傘を収納するファスナー付きの開閉自在の袋本体が形成されるようになっている。
【考案の効果】
【００１０】
本考案の折り畳み傘用の傘袋は、上述のように構成され、通常は袋本体内に折り畳んだフラットタイプの傘と共に手提げバッグも折り込んで収納しておくが、手提げバッグとして使用するときは、袋本体内から手提げバッグを引き出し、該袋本体を裏返して、手提げバッグ外底部に形成される該袋本体内に折り畳んだ傘を再び収納して、ファスナーを締める。
【００１１】
これにより、該袋本体内に折り畳み状態で収納したフラットタイプの傘は該袋本体内の大きさにほぼ合致するので、手提げバッグ底部はほぼ平坦となって、あたかもバッグ底部の底板の役割を果たすこととなり、バッグ内に物を入れたときに、丸棒状に折り畳むタイプの折り畳み傘とは異なって、バッグ底部がごろつくようなことがなく、濡れている折り畳み傘がバッグ内の収容物を濡らしてしまったり、傘が脱落するような心配もなく、しかも手提げバッグを床に置いたときの安定性も良好である。
【考案を実施するための最良の形態】
【００１２】
図１は傘袋の袋本体１内にフラットタイプの折り畳み傘２とトートバッグ型の手提げバッグ３を収納して袋本体１のファスナーを開いた状態を示す斜視図、図２は傘袋の袋本体１内から折り畳み傘２を取り出し、手提げバッグ３を引き出している状態を示す斜視図、図３はこの傘袋を手提げバッグとして使用する状態を示す斜め下から見た斜視図、図４は袋本体１内に折り畳み傘２と手提げバッグ３を収納してファスナーを閉じた状態を示す斜視図である。
【００１３】
袋本体１は、ポリエステル、ナイロン、塩化ビニル等の非透水性の合成樹脂製生地からなり、該袋本体１の大きさは折り畳んだときに全体が扁平となるフラットタイプの折り畳み傘と折り畳んだ手提げバッグ３を密に収納可能で、扁平に折り畳んだ傘の長さと幅にほぼ合致する全体長方形状をなし、その上面の幅方向中央部には袋本体１を開閉自在のファスナー４が該袋本体１の長さ方向全体にわたって取り付けられ、該ファスナー４のスライダー５には袋本体１の内側と外側の両方からスライダー５操作ができるように、例えば２本のスライダー操作用つまみ６ａ、６ｂが設けられている。なお、スライダー５操作が袋本体１の内外両側からできるタイプのものであれば、つまみ６が１個式のものであってもよい。また、袋本体１の長さ方向の一方端部には、袋本体１を吊持可能な吊下げ紐７が取り付けられている。
【００１４】
袋本体１内に収納される折り畳み傘２は、中間部で折曲自在の傘骨の半数（６本の傘骨の場合は３本）づつを傘支柱の左右に分けてその傘骨の折曲端部を扁平な握り部８内に係合させ、しかる後に傘布を巻着して、折り畳んだ状態の全体が扁平な状態となるいわゆる「フラットタイプ」の折り畳み傘である。
【００１５】
手提げバッグ３は、必ずしも袋本体１と同生地である必要はないが、ポリエステル、ナイロン、塩化ビニル等の非透水性の合成樹脂製生地からなり、その底部（マチ部）は折り畳んだ傘の長さと幅にほぼ合致する全体長方形状に形成され、その外周縁は袋本体１内面に縫着されていて、袋本体１の生地自体が手提げバッグ３の底部を形成しており、バッグ３上縁部には提げ手９，９が取り付けられている。
【００１６】
そして、袋本体１から該手提げバッグ３を引き出して袋本体１を裏返すことにより、手提げバッグ３の外底部には扁平に折り畳んだ傘２を収納するファスナー付きの開閉自在の袋本体が形成されるようになっている。
【００１７】
しかして、本考案の傘袋を通常の傘袋として使用する場合は、手提げバッグ３全体を袋本体１内に折り畳んで入れてから、折り畳んだ傘２を該袋本体１内に収納し、スライダー操作用つまみ６ａによりファスナー４を閉じておく（図４参照）。
【００１８】
買い物等のためにこの傘袋を手提げバッグとして使用するときは、ファスナー４を開け（図１参照）、袋本体１内から手提げバッグ３をその提げ手９，９を利用して引き出し（図２参照）、該袋本体１を裏返す。これにより、手提げバッグ３外底部に形成される該袋本体１内に折り畳んだ傘２を再び収納して、ファスナーをもう一方のスライダー操作用つまみ６ｂを使用して閉じるのである（図３参照）。
【００１９】
このように、袋本体１を裏返して手提げバッグ３外底部に形成されることとなる該袋本体１内に折り畳み状態で収納したフラットタイプの傘は該袋本体内の大きさにほぼ合致するので、手提げバッグ３底部はほぼ平坦となり、バッグ３底板の役割を果たすこととなり、バッグ３内に買い物等をした物を収容したときに、丸棒状に折り畳むタイプの折り畳み傘とは異なって、バッグ底部がごろつくようなこともなく、床に置いても安定性を有し、また折り畳み傘が濡れていても、バッグ内の収納物を濡らす心配もない。
【図面の簡単な説明】
【００２０】
【図１】フラットタイプの折り畳み傘とトートバッグ型の手提げバッグを収納した傘袋の袋本体のファスナーを開いた状態を示す斜視図である。
【図２】袋本体内から折り畳み傘取り出して手提げバッグを引き出している状態を示す斜視図である。
【図３】本考案の傘袋を手提げバッグとして使用する状態を示す斜め下から見た斜視図である。
【図４】図１は袋本体１内に折り畳み傘と手提げバッグを収納してファスナーを閉じた状態を示す斜視図である。
【符号の説明】
【００２１】
１−傘袋の袋本体
２−折り畳み傘
３−手提げバッグ（トードバッグ）
４−ファスナー
５−スライダー
６−スライダー操作用つまみ
７−傘袋の吊下げ紐
８−折り畳み傘の握り部
９−バッグの提げ手
【図１】
0003141084.tif 000003
【図２】
0003141084.tif 000004
【図３】
0003141084.tif 000005
【図４】
0003141084.tif 000006
【手続補正書】
【提出日】平成20年2月13日(2008.2.13)
【手続補正１】
【補正対象書類名】実用新案登録請求の範囲
【補正対象項目名】請求項２
【補正方法】変更
【補正の内容】
【請求項２】
前記袋本体に取り付けられるファスナーのスライダーには２個のスライダー操作用つまみが設けられ、また袋本体の生地が前記手提げバッグの底部を形成してなる請求項１記載の折り畳み傘用の傘袋。